【手続補正書】
【提出日】平成16年4月8日(2004.4.8)
【手続補正１】
【補正対象書類名】明細書
【補正対象項目名】特許請求の範囲
【補正方法】変更
【補正の内容】
【特許請求の範囲】
【請求項１】
受聴する受聴音場の残響特性を測定する工程と、
基準とする基準音場の残響特性と前記受聴音場の残響特性との差異を検出する工程と、
検出された前記残響特性の差異に基づき、前記受聴音場において受聴に供する音源に付加する情報を算出する工程と、
算出された前記情報を前記音源に付加する工程とを備えること
を特徴とする音場制御方法。
【請求項２】
受聴に供する音源を所定の周波数帯域に分割する工程と、
受聴する受聴音場の残響特性を、前記分割した周波数帯域ごとに測定する工程と、
基準とする基準音場の残響特性と前記受聴音場の残響特性との差異を、前記分割された周波数帯域ごとに検出する工程と、
検出された前記残響特性の差異に基づき、前記受聴音場において受聴に供する音源に付加する情報を、前記分割された周波数帯域ごとに算出する工程と、
算出された前記周波数帯域ごとの情報を前記音源に付加する工程と、
周波数帯域ごとに情報が付加された前記音源を合成する工程とを備えること
を特徴とする音場制御方法。
【請求項３】
前記音源に付加する情報は反射音情報であること
を特徴とする請求項１及び請求項２のいずれか一項に記載の音場制御方法。
【請求項４】
前記残響特性の測定は、スピーカを所定の信号で駆動し、
前記スピーカから発せられた音波を所定位置に置かれたマイクロホンで収音し、
前記所定の信号と前記マイクロホンで収音した音響情報とから、前記スピーカと前記マイクロホン間のインパルス応答を分析することにより行われること
を特徴とする請求項１から請求項３のいずれか一項に記載の音場制御方法。
【請求項５】
前記残響特性の測定、及び前記音源に付加する情報の算出は、複数のスピーカに対して行われること
を特徴とする請求項１から請求項４のいずれか一項に記載の音場制御方法。
【請求項６】
受聴する受聴音場の残響特性を測定する手段と、
基準とする基準音場の残響特性と前記受聴音場の残響特性との差異を検出する手段と、
検出された前記残響特性の差異に基づき、前記受聴音場において受聴に供する音源に付加する情報を算出する手段と、
算出された前記情報を前記音源に付加する手段とを備えること
を特徴とする音場制御システム。
【請求項７】
受聴に供する音源を所定の周波数帯域に分割する手段と、
受聴する受聴音場の残響特性を、前記分割した周波数帯域ごとに測定する手段と、
基準とする基準音場の残響特性と前記受聴音場の残響特性との差異を、前記分割された周波数帯域ごとに検出する手段と、
検出された前記残響特性の差異に基づき、前記受聴音場において受聴に供する音源に付加する情報を、前記分割された周波数帯域ごとに算出する手段と、
算出された前記周波数帯域ごとの情報を前記音源に付加する手段と、
周波数帯域ごとに情報が付加された前記音源を合成する手段とを備えること
を特徴とする音場制御システム。
【請求項８】
前記分割された周波数帯域ごとに、利得を調整する手段を備えること
を特徴とする請求項７に記載の音場制御システム。
【請求項９】
前記周波数帯域を分割する手段と前記情報を音源に付加する手段と前記利得を調整する手段と前記音源を合成する手段にかえて、信号入出力間の伝達関数に合致する伝達関数を有するフィルタを用いて構成すること
を特徴とする請求項８に記載の音場制御システム。
【請求項１０】
前記各々の周波数帯域において、前記周波数帯域を分割する手段と前記情報を音源に付加する手段と前記利得を調整する手段にかえて、これら各々の手段を通した信号入出力間の伝達関数に合致する伝達関数を有するフィルタを用いて構成すること
を特徴とする請求項８に記載の音場制御システム。
【請求項１１】
前記残響特性を測定する手段は、スピーカと、該スピーカに入力する所定の信号の発生手段と、前記スピーカから発せられる音波を収音するマイクロホンと、前記所定の信号と前記マイクロホンで収音した音響情報とから、前記スピーカと前記マイクロホン間のインパルス応答を分析する手段と
を備えることを特徴とする請求項６から請求項１０のいずれか一項に記載の音場制御システム。
【手続補正２】
【補正対象書類名】明細書
【補正対象項目名】０００８
【補正方法】変更
【補正の内容】
【０００８】
【課題を解決するための手段】
本発明の音場制御方法は上記課題を解決するために、受聴する受聴音場の残響特性を測定する工程と、基準とする基準音場の残響特性と前記受聴音場の残響特性との差異を検出する工程と、検出された前記残響特性の差異に基づき、前記受聴音場において受聴に供する音源に付加する情報を算出する工程と、算出された前記情報を前記音源に付加する工程とを備える。


【手続補正３】
【補正対象書類名】明細書
【補正対象項目名】０００９
【補正方法】変更
【補正の内容】
【０００９】
本発明の音場制御方法によれば、音響を受聴する際に、例えば狭い受聴空間においても、広い受聴空間と同様の臨場感を得ることが可能となる制御の方法である。基準とする基準音場とは、例えば収録スタジオや音楽ホール等であり、受聴音場とは受聴者の部屋、自動車内等に相当する。臨場感を与えるものとして受聴空間の残響特性が大きく作用するが、この残響特性は広い空間よりも狭い空間の方が早く減衰し、広い空間で収録した音を狭い空間で受聴するときに違和感を与えるものである。


【手続補正４】
【補正対象書類名】明細書
【補正対象項目名】００１０
【補正方法】変更
【補正の内容】
【００１０】
従って本発明では、基準音場での残響特性と受聴音場での残響特性を測定し、２つの残響特性の差を検出して、その差に基づき受聴音場で再生する音源に付加する情報を求め、再生する際に原音に加えることで、基準音場で聞くことと同様の臨場感が得られるようにしている。


【手続補正５】
【補正対象書類名】明細書
【補正対象項目名】００１１
【補正方法】変更
【補正の内容】
【００１１】
受聴者に到達する音波はスピーカからの直接音と、部屋の壁、天井、床、家具等に反射して、直接音より送れて到達する反射音があり、残響特性はこの反射音に係わる特性である。広い部屋の方が狭い部屋より残響は長時間維持される。従って基準音場での残響特性と受聴音場での残響特性とから、基準音場での残響特性に近づくよう反射音パターンを求め、再生する際に原音に加えることになる。尚、目的によっては基準音場を種々な状態に設定しても良く、受聴者は設定された環境に近似された音場で聞くことが可能となる。


【手続補正６】
【補正対象書類名】明細書
【補正対象項目名】００１２
【補正方法】変更
【補正の内容】
【００１２】
本発明の音場制御方法は上記課題を解決するために、受聴に供する音源を所定の周波数帯域に分割する工程と、受聴する受聴音場の残響特性を、前記分割した周波数帯域ごとに測定する工程と、基準とする基準音場の残響特性と前記受聴音場の残響特性との差異を、前記分割された周波数帯域ごとに検出する工程と、検出された前記残響特性の差異に基づき、前記受聴音場において受聴に供する音源に付加する情報を、前記分割された周波数帯域ごとに算出する工程と、算出された前記周波数帯域ごとの情報を前記音源に付加する工程と、周波数帯域ごとに情報が付加された前記音源を合成する工程とを備える。


【手続補正７】
【補正対象書類名】明細書
【補正対象項目名】００１３
【補正方法】変更
【補正の内容】
【００１３】
本発明の音場制御方法によれば、基準音場での残響特性と受聴音場での残響特性とから、上述したように基準音場での残響特性に近づくよう反射音パターンを求めるに際し、音源を所定の周波数帯域に分けて、それぞれの周波数帯域で最も効果的な反射音パターンを求め、周波数帯域ごとに音源に付加し、更に全てを合成して出力する制御の方法である。


【手続補正８】
【補正対象書類名】明細書
【補正対象項目名】００１６
【補正方法】変更
【補正の内容】
【００１６】
この態様によれば、基準音場での残響特性と受聴音場での残響特性とから、上述したように受聴音場での残響特性が基準音場での残響特性に近づくように反射音パターンを求めるものである。


【手続補正９】
【補正対象書類名】明細書
【補正対象項目名】００２０
【補正方法】変更
【補正の内容】
【００２０】
この態様によれば、例えばステレオのシステムにおいて、複数のスピーカを用いて再生する場合、所定の場所に配置されたスピーカの各々に対して個別に基準音場と受聴音場での残響特性を測定する。これら残響特性からそれぞれのスピーカごとに原音に付加する情報を求め、受聴音場でその付加情報、即ち反射音パターンを加えて再生することで、ステレオ再生においても基準音場と同様の臨場感を得ることが可能となる。


【手続補正１０】
【補正対象書類名】明細書
【補正対象項目名】００２１
【補正方法】変更
【補正の内容】
【００２１】
本発明の音場制御システムは上記課題を解決するため、受聴する受聴音場の残響特性を測定する手段と、基準とする基準音場の残響特性と前記受聴音場の残響特性との差異を検出する手段と、検出された前記残響特性の差異に基づき、前記受聴音場において受聴に供する音源に付加する情報を算出する手段と、算出された前記情報を前記音源に付加する手段とを備える。


【手続補正１１】
【補正対象書類名】明細書
【補正対象項目名】００２３
【補正方法】変更
【補正の内容】
【００２３】
基準音場の残響特性を測定する手段と受聴音場の残響特性を測定する手段は、それぞれの音場での残響特性を測定するものであり、その構成は同一のものが用いられる。異なる構成を用いる場合は、それら手段間の測定基準等を補正しておくことが必要である。


【手続補正１２】
【補正対象書類名】明細書
【補正対象項目名】００２４
【補正方法】変更
【補正の内容】
【００２４】
残響特性の差を検出する手段は、基準音場での残響特性と受聴音場での残響特性の測定結果からその差を検出する。音源に付加する情報を算出する手段は、２つの残響特性の差から受聴音場で再生する音源に付加する情報、即ち反射音パターンを求める。また、情報を付加する手段は、受聴音場で原音を再生する際に原音にその情報を付加する。これらの手段により、基準音場で聞くことと同様の臨場感が受聴音場においても得られることになる。


【手続補正１３】
【補正対象書類名】明細書
【補正対象項目名】００２５
【補正方法】変更
【補正の内容】
【００２５】
本発明の音場制御システムは上記課題を解決するため、受聴に供する音源を所定の周波数帯域に分割する手段と、受聴する受聴音場の残響特性を、前記分割した周波数帯域ごとに測定する手段と、基準とする基準音場の残響特性と前記受聴音場の残響特性との差異を、前記分割された周波数帯域ごとに検出する手段と、検出された前記残響特性の差異に基づき、前記受聴音場において受聴に供する音源に付加する情報を、前記分割された周波数帯域ごとに算出する手段と、算出された前記周波数帯域ごとの情報を前記音源に付加する手段と、周波数帯域ごとに情報が付加された前記音源を合成する手段とを備える。


【手続補正１４】
【補正対象書類名】明細書
【補正対象項目名】００２６
【補正方法】変更
【補正の内容】
【００２６】
本発明の音場制御システムによれば、基準音場での残響特性と受聴音場での残響特性とから、上述したように基準音場での残響特性に近づくよう反射音パターンを求めるに際し、音源を所定の周波数帯域に分けて、それぞれの周波数帯域で最も効果的な反射音パターンを求め、周波数帯域ごとに音源に付加し、更に全てを合成して出力する構成のシステムである。


【手続補正１５】
【補正対象書類名】明細書
【補正対象項目名】００２７
【補正方法】変更
【補正の内容】
【００２７】
周波数帯域に分割する手段は、基準音場での残響特性と受聴音場での残響特性とから、受聴音場で再生する際に、音源に付加する情報を所定の周波数帯域ごとに求めるために周波数帯域を所定の帯域幅で分割する。


【手続補正１６】
【補正対象書類名】明細書
【補正対象項目名】００２８
【補正方法】変更
【補正の内容】
【００２８】
また、基準音場の残響特性を測定する手段と受聴音場の残響特性を測定する手段は、それぞれの音場での周波数帯域ごとの残響特性を測定するものであり、その構成は同一のものが用いられる。異なる構成を用いる場合は、それら手段間の測定基準等を補正することが必要である。


【手続補正１７】
【補正対象書類名】明細書
【補正対象項目名】００２９
【補正方法】変更
【補正の内容】
【００２９】
残響特性の差を検出する手段は、基準音場及び受聴音場での周波数帯域ごとの残響特性の測定結果からその差を検出する。音源に付加する情報を算出する手段は、２つの残響特性の差から受聴音場で再生する音源に付加する情報、即ち反射音パターンを周波数帯域ごとに求める。また、情報を付加する手段は、受聴音場で原音を再生する際に原音にその情報を周波数帯域ごとに付加する。更に音源を合成する手段は、これら周波数帯域ごとに反射音パターンが付加された音源を合成して出力する。


【手続補正１８】
【補正対象書類名】明細書
【補正対象項目名】００３３
【補正方法】変更
【補正の内容】
【００３３】
この態様によれば、上記システム構成の信号入出力間の伝達関数に合致する伝達関数を有する１つのフィルタに再生音場の音源を通すことで、音源に所望の残響特性を付加することができ、システムが簡単になる。但し、伝達関数は基準音場と受聴音場の組み合わせに応じて、予め求めておく必要がある。
本発明の音場制御システムの他の態様では、前記各々の周波数帯域において、前記周波数帯域を分割する手段と前記情報を音源に付加する手段と前記利得を調整する手段にかえて、これら各々の手段を通した信号入出力間の伝達関数に合致する伝達関数を有するフィルタを用いて構成する。


【手続補正１９】
【補正対象書類名】明細書
【補正対象項目名】００３６
【補正方法】変更
【補正の内容】
【００３６】
この態様によれば、所定の信号がスピーカに入力され、スピーカから残響特性測定用の音波が発せられる。マイクロホンはスピーカが発した音波を収音し、音響情報を分析する手段は所定の信号とマイクロホンで収音した音波とからスピーカとマイクロホン間のインパルス応答を分析して残響特性を求める。更に求められた残響特性は受聴音場で付加する反射音パターンを生成するためのデータとして記録装置に記録される。